(57)【要約】【課題】高い防火性能を得ることができる改装ドア枠及び該改装ドア枠を用いた改装ドアを提供する。【解決手段】改装ドア枠１０は、既設ドアを撤去して残存させた既設ドア枠１６の内側に新設ドア枠１８を取り付ける構造であって、建物の躯体１４と取り付けられる躯体側取付部３４ｂと、新設ドア枠１８の縦枠１８ｄの枠外側見込み面２４ｄと取り付けられる枠側取付部３４ａと、を有する連結金具３４と、連結金具３４及び縦枠１８ｄよりも縦枠１８ｄの枠外側となる位置に配置された補強材５０と、連結金具３４との間に介在し、補強材５０によって係止されることで縦枠１８ｄの枠外側への移動を規制する規制ねじ５５と、を備える。【選択図】図２
2019190202.tif 000002
【特許請求の範囲】
【請求項１】
既設ドアを撤去して残存させた既設ドア枠の内側に新設ドア枠を取り付ける改装ドア枠であって、
建物の躯体と取り付けられる躯体側取付部と、前記新設ドア枠の縦枠の枠外側見込み面と取り付けられる枠側取付部と、を有する連結金具と、
前記連結金具及び前記縦枠よりも前記縦枠の枠外側となる位置に配置された枠外側部材と、前記連結金具又は前記縦枠との間に介在し、前記枠外側部材によって係止されることで前記縦枠の前記枠外側への移動を規制する規制部材と、
を備えることを特徴とする改装ドア枠。
【請求項２】
請求項１に記載の改装ドア枠であって、
前記規制部材は、ねじ部が前記連結金具又は前記縦枠に螺合し、前記ねじ部の先端が前記枠外側部材に係止されるねじであることを特徴とする改装ドア枠。
【請求項３】
請求項１又は２に記載の改装ドア枠であって、
前記枠外側部材は、前記既設ドア枠に固定され、前記連結金具及び前記縦枠と対向配置された金属部材であることを特徴とする改装ドア枠。
【請求項４】
請求項１〜３のいずれか１項に記載の改装ドア枠であって、
前記新設ドア枠は、前記既設ドア枠よりも室外側に張り出すように設けられ、
前記規制部材は、前記縦枠の見込み方向の幅寸法に対し、該幅寸法の中央よりも室外側に寄った位置に設けられることを特徴とする改装ドア枠。
【請求項５】
請求項４に記載の改装ドア枠であって、
前記縦枠は、室外側に配置される室外側部位と室内側に配置される室内側部位との間を断熱材で連結した連結構造であると共に、前記室外側部位と前記室内側部位とが金属板によって互いに連結されており、
前記規制部材は、前記縦枠の見込み方向で、前記室外側部位と重なる位置に配置されることを特徴とする改装ドア枠。
【請求項６】
請求項１〜５のいずれか１項に記載の改装ドア枠であって、
前記縦枠は、前記新設ドア枠の内側に開閉可能に支持される新設ドアの戸先側に配置されるものであり、
前記縦枠の枠内側見込み面には、前記新設ドアのラッチが係合するラッチ受け部が設けられることを特徴とする改装ドア枠。
【請求項７】
請求項６に記載の改装ドア枠であって、
前記新設ドアは、前記ラッチの上方から出没する上部錠と、前記ラッチの下方から出没する下部錠と、を前記枠内側見込み面に有するものであり、
前記縦枠の枠内側見込み面には、前記上部錠が係合する上部錠受け部が前記ラッチ受け部の上方に設けられ、前記下部錠が係合する下部錠受け部が前記ラッチ受け部の下方に設けられており、
前記規制部材は、前記上部錠受け部と前記下部錠受け部との間となる位置に配置されることを特徴とする改装ドア枠。
【請求項８】
請求項１〜７のいずれか１項に記載の改装ドア枠で新設ドアを開閉可能に支持したことを特徴とする改装ドア。
【発明の詳細な説明】
【技術分野】
【０００１】
本発明は、既設ドアを撤去して残存させた既設ドア枠の内側に新設ドア枠を取り付ける改装ドア枠及び該改装ドア枠を用いた改装ドアに関する。
【背景技術】
【０００２】
従来、玄関ドアやその他室内外出入口のドアを低コストで改装するために、建物の躯体に固定されている既設ドア枠を残存させた状態で既設ドアを撤去し、その内側に新設ドア枠及び新設ドアを取り付ける工法が行われている。例えば特許文献１には、既設ドア枠の内側に新設ドア枠を取り付けるに際し、建物の躯体に固定した金具で改装ドア枠を支持した構成が開示されている。
【先行技術文献】
【特許文献】
【０００３】
【特許文献１】特開２０１６−１６４３２５号公報
【発明の概要】
【発明が解決しようとする課題】
【０００４】
上記特許文献１のような構成の改装ドアは、例えば室外側から火災による火炎にさらされると、アルミニウム製の新設ドア枠の縦枠が枠外側へと膨らむように変形する場合がある。そうすると、新設ドアと新設ドア枠との間に火炎や煙の通り道となる室内外方向の貫通孔が形成される。特に戸先側の縦枠が変形した場合は、新設ドアから突出したラッチがこの縦枠に設けられたラッチ受け部から脱落し、室内外方向の貫通孔が拡大する懸念もある。
【０００５】
本発明は、上記従来技術の課題を考慮してなされたものであり、高い防火性能を得ることができる改装ドア枠及び該改装ドア枠を用いた改装ドアを提供することを目的とする。
【課題を解決するための手段】
【０００６】
本発明に係る改装ドア枠は、既設ドアを撤去して残存させた既設ドア枠の内側に新設ドア枠を取り付ける改装ドア枠であって、建物の躯体と取り付けられる躯体側取付部と、前記新設ドア枠の縦枠の枠外側見込み面と取り付けられる枠側取付部と、を有する連結金具と、前記連結金具及び前記縦枠よりも前記縦枠の枠外側となる位置に配置された枠外側部材と、前記連結金具又は前記縦枠との間に介在し、前記枠外側部材によって係止されることで前記縦枠の前記枠外側への移動を規制する規制部材と、を備えることを特徴とする。
【０００７】
また、本発明に係る改装ドアは、上記構成の改装ドア枠で新設ドアを開閉可能に支持したことを特徴とする。
【０００８】
このような構成によれば、火災時に新設ドア枠の縦枠が熱変形によって枠外側に移動しようとした場合であっても、規制ねじの先端が枠外側部材に係止される。その結果、縦枠の枠外側への移動が規制され、新設ドア枠に支持される新設ドアと縦枠との間に室内外方向の貫通孔が形成されることを防止でき、高い防火性能が得られる。
【０００９】
本発明に係る改装ドア枠において、前記規制部材は、ねじ部が前記連結金具又は前記縦枠に螺合し、前記ねじ部の先端が前記枠外側部材に係止されるねじで構成してもよい。そうすると、規制部材は、連結金具又は縦枠に対する螺合位置を調整するだけで、容易に先端を枠外側部材に当接配置することができる。このため、規制部材がねじであると、縦枠や連結金具等の製造公差や組付誤差等に対して規制部材の配置を柔軟に対応させることができ、使い勝手がよい。しかも、改装ドア枠の施工時には、規制部材であるねじの螺合位置を調整し、その先端で枠外側部材を押圧することにより、縦枠の枠内外方向位置を調整することができる。これにより、新設ドアと新設ドア枠との間の隙間を調整し、例えば新設ドア側のラッチの新設ドア枠側のラッチ受け部へのかかり量の調整も行うことができる。
【００１０】
本発明に係る改装ドア枠において、前記枠外側部材は、前記既設ドア枠に固定され、前記連結金具及び前記縦枠と対向配置された金属部材で構成してもよい。そうすると、金属部材は、縦枠の補強と規制部材の係止との機能を兼用することができ、防火性能が一層向上する。
【００１１】
本発明に係る改装ドア枠において、前記新設ドア枠は、前記既設ドア枠よりも室外側に張り出すように設けられ、前記規制部材は、前記縦枠の見込み方向の幅寸法に対し、該幅寸法の中央よりも室外側に寄った位置に設けられた構成してもよい。そうすると、規制部材は、連結金具の自由端側を支持することができ、火災時の縦枠の移動をより確実に防ぐことができる。
【００１２】
本発明に係る改装ドア枠において、前記縦枠は、室外側に配置される室外側部位と室内側に配置される室内側部位との間を断熱材で連結した連結構造であると共に、前記室外側部位と前記室内側部位とが金属板によって互いに連結されており、前記規制部材は、前記縦枠の見込み方向で、前記室外側部位と重なる位置に配置される構成してもよい。そうすると、縦枠が断熱材を挟んだ連結構造であっても、規制部材で躯体から離間した位置が係止されるため、火災時の縦枠の移動をより一層確実に防ぐことができる。
【００１３】
本発明に係る改装ドア枠において、前記縦枠は、前記新設ドア枠の内側に開閉可能に支持される新設ドアの戸先側に配置されるものであり、前記縦枠の枠内側見込み面には、前記新設ドアのラッチが係合するラッチ受け部が設けられた構成してもよい。そうすると、規制部材は、火災時に戸先側の縦枠が新設ドアの戸先側見込み面から離間する方向に移動することを防止する。このため、ラッチがラッチ受け部から脱落し、室内外方向の貫通孔が拡大することを防止できる。
【００１４】
本発明に係る改装ドア枠において、前記新設ドアは、前記ラッチの上方から出没する上部錠と、前記ラッチの下方から出没する下部錠と、を前記枠内側見込み面に有するものであり、前記縦枠の枠内側見込み面には、前記上部錠が係合する上部錠受け部が前記ラッチ受け部の上方に設けられ、前記下部錠が係合する下部錠受け部が前記ラッチ受け部の下方に設けられており、前記規制部材は、前記上部錠受け部と前記下部錠受け部との間となる位置に配置された構成してもよい。そうすると、規制部材がラッチの近傍に配置され、しかも上下錠の間となる位置に配置される。このため、火災時にラッチがラッチ受け部から脱落し、室内外方向の貫通孔が拡大することをより確実に防止できる。
【発明の効果】
【００１５】
本発明によれば、改装ドア枠において高い防火性能を得ることができる。
【図面の簡単な説明】
【００１６】
【図１】本発明の一実施形態に係る改装ドア枠を備える改装ドアの横断面図である。
【図２】戸先側の縦枠及びその周辺部を拡大した横断面図である。
【図３】吊元側の縦枠及びその周辺部を拡大した横断面図である。
【図４】図４（Ａ）は、戸先側の縦枠及びその周辺部を枠外側から見た側面図であり、図４（Ｂ）は、図４（Ａ）に示す縦枠及びその周辺部を室外側から見た正面図である。
【図５】図４（Ａ）に示す縦枠及びその周辺部を枠内側から見た側面図である。
【図６】図６（Ａ）は、図６（Ｂ）中のＡ−Ａ線に沿う断面図であり、図６（Ｂ）は、戸先側の縦枠に設けた連結金具及びその周辺部を室内側から見た要部拡大正面図である。
【発明を実施するための形態】
【００１７】
以下、本発明に係る改装ドア枠について、このドア枠を備えた建具である改装ドアを例示して好適な実施の形態を挙げ、添付の図面を参照しながら詳細に説明する。
【００１８】
本実施形態に係る改装ドア枠１０を備える改装ドア１２は、建物の躯体１４の開口部１４ａに予め設置されていた既設ドアをドア枠（既設ドア枠１６）を残して撤去し、残存させた既設ドア枠１６の内側に新たなドア枠（新設ドア枠１８）を取り付けて新設ドア２０を開閉可能に支持した建具である。改装ドア１２は、例えば住宅の玄関ドアの改装工事で設置される。本実施形態では片開きドアの改装ドア１２を例示しているが、改装ドア１２は両開きドア等であってもよい。
【００１９】
既設ドア枠１６は、上枠１６ａと、下枠１６ｂと、左右の縦枠１６ｃ，１６ｄとを四周枠組みすることで矩形の開口部を形成したものである。各枠１６ａ〜１６ｄは、例えばアルミニウム等の金属材料の押出形材である。各枠１６ａ〜１６ｄは、新設ドア枠１８の取り付け前から躯体１４に固定されている。図１では、実際には図示されない上枠１６ａについても符号を付しているが、上枠１６ａは下枠１６ｂと同様に新設ドア枠１８で覆われた状態で左右の縦枠１６ｃ，１６ｄの上端部間に亘って設けられる。
【００２０】
新設ドア枠１８は、既設ドア枠１６よりも室外側に張り出すように設けられる。新設ドア枠１８は、上枠１８ａと、下枠１８ｂと、左右の縦枠１８ｃ，１８ｄとを四周枠組みすることで矩形の開口部（ドア開口部２２）を形成したものである。各枠１８ａ〜１８ｄは、例えばアルミニウム等の金属材料の押出形材で構成されている。図１では、実際には図示されない上枠１８ａについても符号を付しているが、上枠１８ａは下枠１８ｂと同様に左右の縦枠１８ｃ，１８ｄの上端部間に亘って設けられる。
【００２１】
本出願において、見込み方向とは改装ドア１２の室内外方向、つまり室内側から室外側に向かう方向又はその逆方向（図中に矢印Ｙで示す方向）をいう。見込み面とは見込み方向に沿って延在する面をいう。見付け方向とは見込み方向に直交する方向であり、上下方向に長尺な縦枠１８ｃ等の場合はその長手方向に直交する左右方向（図中に矢印Ｘで示す方向）をいい、左右方向に長尺な下枠１８ｂ等の場合はその長手方向に直交する上下方向（図中に矢印Ｚで示す方向）をいう。見付け面とは見付け方向に沿った面をいう。枠状部材の枠内側（枠内方向）とは、例えば新設ドア枠１８の内側（ドア開口部２２側）をいい、枠状部材の枠外側（枠外方向）とは、例えば新設ドア枠１８の外側（既設ドア枠１６側や躯体１４側）をいう。
【００２２】
吊元側の縦枠１８ｃは、室外側に配置される室外側部位２４ａと室内側に配置される室内側部位２４ｂとを一対の断熱材２６で連結し、断面略矩形状に形成した連結構造である。室内側部位２４ｂは、その枠内側見込み面２４ｃから内方に突出した戸当たり部２８が設けられている。縦枠１８ｃは、室外側部位２４ａ及び室内側部位２４ｂの枠外側見込み面２４ｄがクランク状の連結金具３０を介して躯体１４と固定される。
【００２３】
縦枠１８ｃの室外側部位２４ａの室外側見付け面２４ｅには、既設ドア枠１６の縦枠１６ｃを室外側から覆い隠す外額縁３２の一端が固定される。外額縁３２は、アルミニウム等の金属材料の押出形材で形成された化粧部材であり、改装ドア１２の室外側の見栄えを高めるためのものである。外額縁３２の他端は躯体１４側に固定される。
【００２４】
戸先側の縦枠１８ｄは、上記した吊元側の縦枠１８ｃと略左右対称形状であって基本的な構造は同一である。すなわち、縦枠１８ｄは、断熱材２６で連結された室外側部位２４ａ及び室内側部位２４ｂを有し、室内側部位２４ｂの枠内側見込み面２４ｃに戸当たり部２８を有する。縦枠１８ｄは、室外側部位２４ａ及び室内側部位２４ｂの枠外側見込み面２４ｄがクランク状の連結金具３４を介して躯体１４と固定される。連結金具３４は、連結金具３０と多少形状が異なるが、詳細は後述する。なお、上枠１８ａ及び下枠１８ｂは、縦枠１８ｃ，１８ｄと同様な構成としてもよいし、異なる構成としてもよい。
【００２５】
本実施形態の場合、新設ドア２０は片開きである。新設ドア２０は、縦枠１８ｃの室外側部位２４ａに取り付けられたヒンジ３６を介して新設ドア枠１８の内側で開閉可能に支持され、戸当たり部２８の室外側で開閉する。新設ドア２０の戸先側見込み面２０ａには、ラッチ３８が出没可能に設けられている。ラッチ３８は、新設ドア２０を閉じた際に対向する縦枠１８ｄの枠内側見込み面２４ｃに設けられたラッチ受け部４０に係合する。
【００２６】
図２及び図３に示すように、新設ドア枠１８は、躯体１４の室外側に残留している既設ドア枠１６の枠内側に設置される。新設ドア枠１８は、その設置位置よりも室内側にある躯体１４に対して連結金具３０，３４を介して連結される。上枠１８ａは、例えば縦枠１８ｃと同様に連結金具３０を介して躯体１４と固定される。下枠１８ｂは、例えば連結金具３０，３４を用いず、例えば土間の上に設置されて既設ドア枠１６の下枠１６ｂと連結される。
【００２７】
図２に示すように、戸先側の縦枠１８ｄに用いた連結金具３４は、既設ドア枠１６の戸当たり部１６ｅを避けるように屈曲したクランク形状である。連結金具３４は、ステンレスやスチール等の金属板を屈曲させたものである。連結金具３４は、縦枠１８ｄの長手方向寸法よりも短尺に形成された部品（ピース）である。本実施形態の場合、連結金具３４は、縦枠１８ｄの長手方向でラッチ受け部４０に近接した位置のみに設置し、他の位置には縦枠１８ｃのものと同一の連結金具３０を設置している（図４及び図５参照）。縦枠１８ｄは、連結金具３０を用いずに複数の連結金具３４を用いて躯体１４と連結してもよい。
【００２８】
連結金具３４は、クランク形状の一方の見込み方向部位であって新設ドア枠１８と取り付けられる枠側取付部（金属板）３４ａと、他方の見込み方向部位であって躯体１４と取り付けられる躯体側取付部３４ｂとを有する。
【００２９】
枠側取付部３４ａは、縦枠１８ｄの枠外側見込み面２４ｄに対して枠外側から取付ねじ４２を用いて固定される。具体的には、枠側取付部３４ａは、室内側部位２４ｂの枠外側見込み面２４ｄから断熱材２６を越えて室外側部位２４ａの枠外側見込み面２４ｄまで延出しており、両部位２４ａ，２４ｂの枠外側見込み面２４ｄに対してそれぞれ取付ねじ４２を用いて固定される。これにより断熱材２６を挟んだ連結構造の縦枠１８ｄが連結金具３４で確実に保持される。連結金具３４には、室外側部位２４ａの室外側端部付近まで枠側取付部３４ａを延出させた延出部３４ｃが設けられている。延出部３４ｃは、新設ドア２０からの負荷がかかる縦枠１８ｄのラッチ受け部４０に近接した部分を補強するものである（図４及び図５参照）。延出部３４ｃは、縦枠１８ｄの枠外側見込み面２４ｄに対して枠外側から取付ねじ４３を用いて固定される。
【００３０】
取付ねじ４２，４３は、上記と逆方向（枠内側から枠外側に向かう方向）に締結されてもよい。この場合、取付ねじ４２，４３は、例えば新設ドア枠１８に設けた大径孔（ばか穴）を挿通させ、連結金具３４或いは既設ドア枠１６に固定するとよい。
【００３１】
躯体側取付部３４ｂは、新設ドア枠１８の室内側において枠側取付部３４ａよりもドア開口部２２の内方にオフセットした位置に配置される。躯体側取付部３４ｂは、躯体１４の開口部１４ａの見込み面に対し、ドア開口部２２側からスペーサ４６を挟んで取付ねじ４８を用いて固定される。
【００３２】
連結金具３４は、枠側取付部３４ａと躯体側取付部３４ｂとの間の見付け方向部位（連接部３４ｄ）が、戸当たり部１６ｅを避けるように室内側部位２４ｂの室内側見付け面２４ｆに沿って配置される。連結金具３４は、クランク形状によって十分な強度を有する。また、連結金具３４は、枠側取付部３４ａが躯体側取付部３４ｂよりもドア開口部２２の外方（枠外側）にオフセットして設けられているため、縦枠１８ｄを可能な限り外方に配置でき、ドア開口部２２の開口寸法を最大限に確保することができる。
【００３３】
図２に示すように、改装ドア枠１０は、新設ドア枠１８の縦枠１８ｄと既設ドア枠１６の縦枠１６ｄとの間となる位置に補強材（金属部材。枠外側部材）５０を有する。補強材５０は、ステンレスやスチール等の金属板である。補強材５０は、縦枠１８ｄの枠外側に配置され、縦枠１８ｄの枠外側への変形や移動を規制するための補強板である。補強材５０は、縦枠１８ｄの長手方向寸法よりも短尺で且つ連結金具３４の上下方向寸法よりも長尺に形成された部品（ピース）である。補強材５０は、縦枠１８ｄの全長に亘る長さでもよい。図４に示すように、補強材５０は、例えば上下に隣接する連結金具３０，３４間に亘る位置に設けられ、縦枠１８ｄの長手方向で例えば上下に２枚設置される。
【００３４】
補強材５０は、既設ドア枠１６の縦枠１６ｄの枠内側見込み面に対して枠内側から固定ねじ５２を用いて固定され、縦枠１６ｄと連結金具３４（枠側取付部３４ａ）との間に配置されている。補強材５０は、縦枠１６ｄよりも室外側に延びた延出部５０ａを有する。延出部５０ａは、縦枠１８ｄの室外側部位２４ａの見込み方向中央よりも室外側となる位置まで延びている。延出部５０ａは、縦枠１８ｄの室外側部位２４ａの中空部内から枠外側に向かう連結ねじ５４によって室外側部位２４ａと連結される。図４（Ｂ）に示すように、連結ねじ５４は、連結金具３４から下方に位置ずれした位置と、その下方の連結金具３０の上方となる位置とにそれぞれ設けられる。連結ねじ５４は、縦枠１８ｄの室外側部位２４ａに形成された大径孔（ばか穴）を挿通し、延出部５０ａに形成されたねじ孔に螺合される。つまり連結ねじ５４は、延出部５０ａに対しては固定され、室外側部位２４ａに対しては隙間を持って大径孔に挿通された状態で頭部が係止されている。
【００３５】
連結金具３４の枠側取付部３４ａと補強材５０との間には、隙間Ｃが設けられている。隙間Ｃは、連結金具３４や補強材５０の製造公差や組付誤差を考慮して設けられる。改装ドア枠１０は、この隙間Ｃに通された規制ねじ（規制部材）５５を有する。規制ねじ５５は、連結金具３４の枠側取付部３４ａから補強材５０の延出部５０ａに向かって設けられている。規制ねじ５５は、ねじ部５５ａが枠側取付部３４ａに形成されたねじ孔３４ｅに螺合し、先端５５ｂが補強材５０の枠外側表面５０ｂに当接又は近接するように設置される（図２参照）。規制ねじ５５は、先端５５ｂが補強材５０に係止されることにより、縦枠１８ｄ（及び連結金具３４）の枠外側への変形や移動を規制する。隙間Ｃは、スペーサ５６及びシール材５７によって封止される（図２参照）。補強材５０と縦枠１６ｄとの間に形成される隙間についてもスペーサ５６及びシール材５７によって封止される。
【００３６】
上記したように、戸先側の縦枠１８ｄは、ラッチ受け部４０に近接した位置以外は、複数の連結金具３０を用いて躯体１４に取り付けられる（図４参照）。図４（Ａ）に示すように、連結金具３０は、枠側取付部３４ａの室外側に延出部３４ｃを持たない以外は連結金具３４と同様な構成である。従って、連結金具３０には、取付ねじ４３及び規制ねじ５５も設けられない。連結金具３０については、連結金具３４と同一又は同様な機能及び効果を奏する要素には同一の参照符号を付し、詳細な説明を省略する。
【００３７】
図２に示すように、縦枠１８ｄの室内側には、連結金具３４（３０）の躯体側取付部３４ｂをドア開口部２２側から覆う額縁部材６０が設けられている。額縁部材６０は、例えば断面略Ｌ字状に形成されたアルミニウム等の金属材料の押出形材である。額縁部材６０は、躯体１４に対して木額縁６２を挟んで固定ねじ６４を用いて固定される。額縁部材６０は、連結金具３４の躯体側取付部３４ｂと平行する面を持ち、この躯体側取付部３４ｂ及び取付ねじ４８を覆うことで、改装ドア枠１０の室内側の見栄えを高めるためのものである。
【００３８】
図２に示すように、縦枠１８ｄには、熱膨張性部材６６，６７が設けられている。熱膨張性部材６６は、断熱材２６を跨いで室外側部位２４ａから室内側部位２４ｂまで亘る室内外方向の幅寸法を有する。熱膨張性部材６６は、縦枠１８ｄの長手方向に亘って延在した状態で枠内側見込み面２４ｃに貼り付けられている（図２、図４（Ｂ）及び図５参照）。熱膨張性部材６７は、断熱材２６を跨いで室外側部位２４ａの室内側端部から室内側部位２４ｂまで亘る室内外方向の幅寸法を有する。熱膨張性部材６７は、連結金具３０，３４を含めて縦枠１８ｄの長手方向に亘って延在した状態で枠外側見込み面２４ｄ及び連結金具３０，３４の表面に貼り付けられている（図２、図４（Ａ）及び図４（Ｂ）参照）。熱膨張性部材６６，６７は、加熱されると発泡して膨張する黒鉛等の加熱発泡材であり、接着剤や両面テープ等を用いて縦枠１８ｄや連結金具３０，３４の表面に接着固定される。
【００３９】
図４及び図５に示すように、縦枠１８ｄは、上から下に向かって順に、上部錠受け部６８と、ラッチ受け部４０と、下部錠受け部６９とを有する。上部錠受け部６８、ラッチ受け部４０及び下部錠受け部６９は、それぞれ縦枠１８ｄの枠内側見込み面２４ｃに開口している。上部錠受け部６８は、新設ドア２０の戸先側見込み面２０ａから出没する上部錠７０（図１参照）が係合する。ラッチ受け部４０は、ラッチ３８が係合する。下部錠受け部６９は、新設ドア２０の戸先側見込み面２０ａから出没する下部錠７１（図１参照）が係合する。上部錠７０は、新設ドア２０の室内側表面に設けられたドアハンドル７２の上部に設けられたサムターン７３によってロック操作され、下部錠７１はドアハンドル７２の下部に設けられたサムターン７４によってロック操作される。
【００４０】
図３に示すように、吊元側の縦枠１８ｃは、上記した戸先側の縦枠１８ｄと左右対称構造である以外は基本的に同一構造のため、同一又は同様の要素には同一の参照符号を付して詳細な説明を省略する。但し、縦枠１８ｃの室外側部位２４ａには、ラッチ受け部４０、上部錠受け部６８及び下部錠受け部６９に代えてヒンジ３６がねじ止めされている。また縦枠１８ｃは、躯体１４に対して連結金具３４を用いず、複数の連結金具３０を用いて連結されている。このため、縦枠１８ｃの連結金具３０と補強材５０との間には規制ねじ５５を設けていない。
【００４１】
本実施形態に係る改装ドア１２は、例えば室外側からの火災にさらされた場合、縦枠１８ｄが熱変形し、図６（Ａ）及び図６（Ｂ）中の矢印Ｘ１に示すように枠外側へと膨らむような変形及び移動を生じる可能性がある。このように縦枠１８ｄが枠外側に口開きするように変形した場合、新設ドア２０と縦枠１８ｄとの間には火炎や煙の通り道となる室内外方向の貫通孔が形成される。また、縦枠１８ｄは新設ドア２０の戸先側見込み面２０ａから離間する方向に移動するため、ラッチ３８がラッチ受け部４０から脱落し、室内外方向の貫通孔が拡大する懸念もある。特に、当該改装ドア枠１０は、室内側の躯体１４から室外側へと延びた連結金具３０，３４によって縦枠１８ｄを躯体１４に連結している。このため、縦枠１８ｄは、その枠外側が躯体１４で直接的に支持されておらず、枠外側に移動し易い状態にある。なお、図６（Ａ）では、連結ねじ５４の図示を省略している。
【００４２】
そこで当該改装ドア１２は、縦枠１８ｄ及び連結金具３４の枠外側に補強材５０を配置すると共に、連結金具３４と補強材５０との間に規制ねじ５５を設けている。従って、火災時に縦枠１８ｄと補強材５０との間の隙間Ｃを塞ぐスペーサ５６やシール材５７が焼失或いは溶融し、縦枠１８ｄが枠外側に移動しようとした場合であっても、規制ねじ５５の先端５５ｂが補強材５０の枠外側表面５０ｂに係止される。その結果、縦枠１８ｄの枠外側への移動が規制され、新設ドア２０と縦枠１８ｄとの間に室内外方向の貫通孔が形成されることを防止でき、高い防火性能が得られる。
【００４３】
一方、吊元側の縦枠１８ｃの場合、連結金具３０には規制ねじ５５が設けられていない。しかしながら、吊元側の縦枠１８ｃはヒンジ３６によって新設ドア２０と締結されているため、縦枠１８ｃの枠外側への移動は抑制される。また、ヒンジ３６による支持強度を越えて縦枠１８ｃが枠外側に移動した場合であっても、縦枠１８ｃは隙間Ｃ分の移動後に補強材５０に保持される。このため、新設ドア２０と縦枠１８ｃとの間に形成される室内外方向の貫通孔が拡大することを防止でき、十分な防火性能を確保できる。勿論、吊元側の縦枠１８ｃについても連結金具３４を設け、規制ねじ５５を補強材５０との間に介在させてもよい。そうすると、吊元側の縦枠１８ｃが枠外側に移動し、それによって新設ドア２０が戸先側の縦枠１８ｄから逃げる方向に移動してラッチ３８がラッチ受け部４０から脱落することをより確実に防止できる。
【００４４】
なお、連結金具３４と補強材５０との間に介在し、縦枠１８ｄの枠外側への移動を規制する規制部材は、規制ねじ５５のようなねじ以外、例えば連結金具３４と補強材５０との間に配設される金属製のスペーサ等であってもよい。但し、規制ねじ５５は、連結金具３４に対する螺合位置を調整するだけで、容易に先端５５ｂを補強材５０に当接配置することができる。このため、規制ねじ５５は、縦枠１８ｄ、連結金具３４及び補強材５０の製造公差や組付誤差等に基づく隙間Ｃの幅の違いに容易に対応でき、使い勝手がよい。また、改装ドア枠１０の施工時、規制ねじ５５のねじ孔３４ｅに対する螺合位置を調整し、先端５５ｂで補強材５０を押圧することにより、縦枠１８ｄの枠内外方向位置をある程度調整することもできる。これにより、ラッチ３８のラッチ受け部４０へのかかり量の調整も行うことができる。規制ねじ５５は連結金具３４や縦枠１８ｄだけでなく、補強材５０に対しても螺合されてもよい。
【００４５】
本実施形態の場合、規制ねじ５５は、縦枠１８ｄの見込み方向の幅寸法に対し、この幅寸法の中央よりも室外側に寄った位置、つまり連結金具３４の延出部３４ｃに対して設けられている。つまり規制ねじ５５は、縦枠１８ｄの見込み方向でその室外側部位２４ａと重なる位置に配置されている。このように、規制ねじ５５は、連結金具３４の躯体１４に対する固定部である躯体側取付部３４ｂから離間した位置に配置されることにより、連結金具３４の自由端側である枠側取付部３４ａ側を確実に支持することができる。その結果、火災時の縦枠１８ｄの移動をより確実に且つより効率よく防ぐことができる。
【００４６】
しかも、当該改装ドア１２は、火災にさらされた際に熱膨張性部材６６，６７が膨張する。これにより、膨張した熱膨張性部材６６が新設ドア２０の戸先側見込み面２０ａと縦枠１８ｃ，１８ｄの枠内側見込み面２４ｃとの間の隙間を埋め、この隙間が室内外方向の貫通孔となることを一層確実に防止する。さらに膨張した熱膨張性部材６７が縦枠１８ｃ，１８ｄの枠外側見込み面２４ｄと既設ドア枠１６の縦枠１６ｃ，１６ｄとの間の隙間を埋め、この隙間が室内外方向の貫通孔となることも防止する。
【００４７】
なお、本発明は、上記した実施形態に限定されるものではなく、本発明の主旨を逸脱しない範囲で自由に変更できることは勿論である。
【００４８】
上記実施形態では、断熱材２６で室外側部位２４ａと室内側部位２４ｂとを連結した断熱構造の新設ドア枠１８を例示したが、新設ドア枠１８の各枠１８ａ〜１８ｄは断熱材２６を用いていない構成でもよい。
【００４９】
上記実施形態では、規制ねじ５５は、連結金具３４のねじ孔３４ｅにねじ部５５ａを螺合させた構成を例示したが、規制ねじ５５は、縦枠１８ｄに形成したねじ孔に螺合させ、連結金具３４の大径孔（ばか穴）を挿通させた取付構造としてもよい。また規制ねじ５５は、縦枠１８ｄに形成したねじ孔に螺合させ、連結金具３４から上下方向に位置ずれした位置に設けてもよい。
【００５０】
上記実施形態では、縦枠１８ｄの枠外側に配置された補強材５０で規制ねじ５５を係止する構成を例示したが、規制ねじ５５は補強材５０以外の縦枠１８ｄの枠外側に配置された部材（枠外側部材）で係止されてもよい。例えば、既設ドア枠１６の縦枠１６ｄは、新設ドア枠１８の縦枠１８ｄと同様にアルミニウム製であるが、縦枠１８ｄで室外から隠されているため、火災時の温度上昇が低い。そこで、規制ねじ５５は既設ドア枠１６の縦枠（枠外側部材）１６ｄに係止されてもよい。また規制ねじ５５は、躯体（枠外側部材）１４で係止されてもよい。
【００５１】
上記実施形態では、クランク形状の連結金具３０，３４を例示したが、連結金具３０，３４は平板形状等であってもよい。また、連結金具３０，３４は、枠側取付部３４ａが例えば室内側部位２４ｂのみと取り付けられ、室内側部位２４ｂと室外側部位２４ａとの間は、断熱材２６を跨いだ枠側取付部３４ａとは別の金属板で固定してもよい。
【符号の説明】
【００５２】
１０  改装ドア枠、１２  改装ドア、１４  躯体、１４ａ  開口部、１６  既設ドア枠、１６ｃ，１６ｄ，１８ｃ，１８ｄ  縦枠、１８  新設ドア枠、２０  新設ドア、２２  ドア開口部、２４ａ  室外側部位、２４ｂ  室内側部位、２６  断熱材、３０，３４  連結金具、３４ａ  枠側取付部、３４ｂ  躯体側取付部、３４ｃ  延出部、３８  ラッチ、４０  ラッチ受け部、５０  補強材、５５  規制ねじ、５５ａ  ねじ部、５５ｂ  先端、６８  上部錠受け部、６９  下部錠受け部
【図１】
2019190202.tif 000003
【図２】
2019190202.tif 000004
【図３】
2019190202.tif 000005
【図４】
2019190202.tif 000006
【図５】
2019190202.tif 000007
【図６】
2019190202.tif 000008